(57)【要約】【課題】  冷陰極蛍光ランプが損壊したり或いは組付けが必要である時に、取り出して修理するのに便利でまた取り付けるのに便利であり、また、冷陰極蛍光ランプの芯棒が脱落しにくい冷陰極蛍光ランプの共同半田付け装置を提供すること。【解決手段】  本発明の冷陰極蛍光ランプの共同半田付け装置は、導電手段を具え、該導電手段は、冷陰極蛍光ランプの芯棒を支持し且つ共同半田付け点とされ、該導電手段に冷陰極蛍光ランプの芯棒を支持するための切欠きが設けられている。本発明の特徴は該切欠きが折れ曲がった設計の切欠きとされたことにある。【選択図】        図４
2005324243.tif 000002
【特許請求の範囲】
【請求項１】
冷陰極蛍光ランプ（３０）の芯棒（３００）の共同半田付け装置において、該共同半田付け装置は導電手段（３１）を具え、冷陰極蛍光ランプ（３０）の芯棒（３００）を支持するために該導電手段（３１）に形成された切欠き（３１０）が折れ曲がった形状とされたことを特徴とする、冷陰極蛍光ランプの共同半田付け装置。
【請求項２】
請求項１記載の冷陰極蛍光ランプの共同半田付け装置において、切欠き（３１０ａ）の折れ曲がり部分に少なくとも一つの凸点（３１１）が設けられ、この凸点（３１１）が芯棒（３００ａ）が切欠き（３１０ａ）の末端に移動するのに通過が必要な経路にあり、芯棒（３００ａ）が切欠き（３１０ａ）末端に緊密に係止されることを特徴とする、冷陰極蛍光ランプの共同半田付け装置。
【発明の詳細な説明】
【技術分野】
【０００１】
本発明は一種の冷陰極蛍光ランプの共同半田付け装置に係り、特に、冷陰極蛍光ランプを半田付けし共同半田付けさせるのに用いられる導電手段の構造に関する。
【背景技術】
【０００２】
ハイテクノロジー電子製品が日々進歩するなかで、価格或いは性能のいずれもが市場での重要な競争因子となっている。液晶スクリーン、液晶テレビジョン或いはその他の液晶パネルを使用した製品は、いずれも光をバックライトモジュールでバックライト板に投射させ、使用者が明晰な表示画面を観ることができるようにするために、高圧駆動の冷陰極蛍光ランプ（ＣＣＦＬ）の使用を必要とする。
【０００３】
バックライト板の使用する冷陰極蛍光ランプは輝度を高めるため、多数の冷陰極蛍光ランプを使用し、多数の冷陰極蛍光ランプの低電圧端はコスト節約或いは電源変換器の設計に合わせるために、共同半田付けの構造を有している。即ち、低電圧端の芯棒が導電導体或いはプリント基板（ＰＣＢ）に半田付けされて一体に結合され、ゆえに導電導体或いはプリント基板上の設計は非常に重要である。現在、以下に説明する二種類の技術構造が提供されている。
【０００４】
図１及び図２に示されるように、それは冷陰極蛍光ランプ（１０）、冷陰極蛍光ランプ（１０）の芯棒（１００）を半田付けして共同半田付けさせるのに用いられる支持手段（１１）を具え、該支持手段（１１）には芯棒（１００）を通すための複数の円孔（１１０）が設けられ、この共同半田付けの方式は、冷陰極蛍光ランプ（１０）の芯棒（１００）を支持手段（１１）の円孔（１１０）に通し、半田付けの方式を利用し、支持手段（１１）に固定し、共同半田付けの目的を達成する。ただし、製品試験時に、冷陰極蛍光ランプ（１０）の損壊或いは支持手段（１１）の故障があって、冷陰極蛍光ランプ（１０）を支持手段（１１）より分離させて修理を行なわなければならない時には、支持手段（１１）の円孔（１１０）の設計のために取り外しが容易でなく、不注意から支持手段（１１）或いは冷陰極蛍光ランプ（１０）を損壊させてしまうことがあり、不便であり、メーカーには生産上、修理に不便であるという問題を形成し、また消費者には製品が故障した時の修理に出す時間が比較的長くなるという問題を形成する。
【０００５】
図３に示される周知の技術は、冷陰極蛍光ランプ（２０）と、冷陰極蛍光ランプ（２０）の芯棒（２００）の共同半田付けに供される支持手段（２１）とを具え、該支持手段（２１）には冷陰極蛍光ランプ（２０）の芯棒（２００）を支持する複数の切欠き（２１０）が設けられ、該切欠き（２１０）の設計は、図１、２の技術の欠点を解決して修理時に冷陰極蛍光ランプ（２０）の芯棒（２００）を支持手段（２１）より順調に取り出して修理時の不便や更なる損壊を形成しないものとされている。しかし、冷陰極蛍光ランプ（２０）の芯棒（２００）は半田付け方式で支持手段（２１）に固定され、冷陰極蛍光ランプ（２０）は高圧駆動により発光するため、芯棒（２００）部分に高温、高熱が発生しやすく、半田付け部分の半田が高温、高熱により溶融状態を呈し、この時、意図せずにぐらつかせると、冷陰極蛍光ランプ（２０）の芯棒（２００）が支持手段（２１）より脱出しやすく、不導電と故障の結果をもたらす。ゆえにこの設計は取り外しにくい問題を解決はするが、上述のような問題を発生し、この問題により使用上の不便を形成し、産業上の利用性を具備しない。
【発明の開示】
【発明が解決しようとする課題】
【０００６】
本発明の目的は、上述の従来の技術の問題を解決する一種の冷陰極蛍光ランプの共同半田付け装置を提供することにあり、この装置は冷陰極蛍光ランプが損壊したり或いは組付けが必要である時に、取り出して修理するのに便利でまた取り付けるのに便利である。
【０００７】
本発明の別の目的は、冷陰極蛍光ランプの芯棒が脱落しにくい冷陰極蛍光ランプの共同半田付け装置を提供することにある。
【０００８】
本発明の冷陰極蛍光ランプの共同半田付け装置は、導電手段を具え、該導電手段は、冷陰極蛍光ランプの芯棒を支持し且つ共同半田付け点とされ、該導電手段に冷陰極蛍光ランプの芯棒を支持するための切欠きが設けられている。
本発明の特徴は該切欠きが折れ曲がった設計の切欠きとされたことにある。
【課題を解決するための手段】
【０００９】
請求項１の発明は、冷陰極蛍光ランプ（３０）の芯棒（３００）の共同半田付け装置において、該共同半田付け装置は導電手段（３１）を具え、冷陰極蛍光ランプ（３０）の芯棒（３００）を支持するために該導電手段（３１）に形成された切欠き（３１０）が折れ曲がった形状とされたことを特徴とする、冷陰極蛍光ランプの共同半田付け装置としている。
請求項２の発明は、請求項１記載の冷陰極蛍光ランプの共同半田付け装置において、切欠き（３１０ａ）の折れ曲がり部分に少なくとも一つの凸点（３１１）が設けられ、この凸点（３１１）が芯棒（３００ａ）が切欠き（３１０ａ）の末端に移動するのに通過が必要な経路にあり、芯棒（３００ａ）が切欠き（３１０ａ）末端に緊密に係止されることを特徴とする、冷陰極蛍光ランプの共同半田付け装置としている。
【発明の効果】
【００１０】
本発明の冷陰極蛍光ランプの共同半田付け装置は、上述の従来の技術の問題を解決し、本発明の装置は冷陰極蛍光ランプが損壊したり或いは組付けが必要である時に、取り出して修理するのに便利でまた取り付けるのに便利であり、冷陰極蛍光ランプの芯棒が脱落しにくい。
【発明を実施するための最良の形態】
【００１１】
図４、５に示されるように、本発明の共同半田付け装置は、基本的に冷陰極蛍光ランプ（３０）の芯棒（３００）を共同で半田付けするのに供される導電手段（３１）とされる。該導電手段（３１）には冷陰極蛍光ランプ（３０）の芯棒（３００）を支持するための切欠き（３１０）が設けられている。本発明の特徴は、切欠き（３１０）の形状が折れ曲がった形状とされたことにあり、常態の外力のない状況で、冷陰極蛍光ランプ（３０）の芯棒（３００）が自身の重量によりこの折れ曲がった形状の切欠き（３１０）中に嵌入し、芯棒（３００）の切欠き（３１０）中からの脱落が防止され、更に取り出して修理交換するのにも便利である。
【００１２】
図６は本発明の別の実施例を示し、そのうち、切欠き（３１０ａ）の折れ曲がり部分には少なくとも一つの凸点（３１１）が設けられている。この凸点（３１１）は芯棒（３００ａ）が切欠き（３１０ａ）の末端に進入するのに通過が必要な経路にあり、導電手段（３１ａ）は厚さが非常に薄いプリント基板のようなものとされ、ゆえに芯棒（３００ａ）がこの凸点（３１１）を通過する時に、導電手段（３１ａ）の弾性により芯棒（３００ａ）の切欠き（３１０ａ）の末端への到達に影響がなく、芯棒（３００ａ）が切欠き（３１０ａ）の末端に到達した後、この凸点（３１１）のストッパ作用により、芯棒（３００ａ）が緊密に切欠き（３１０ａ）の末端に係止され、これにより芯棒（３００ａ）が強固に切欠き（３１０ａ）の末端に固定され、外力の影響により脱落しない。
【００１３】
上述の詳細な説明は本発明の実施例に係るものであり、本発明の請求範囲を限定するものではなく、本発明に基づきなしうる細部の修飾或いは改変は、いずれも本発明の請求範囲に属するものとする。
【図面の簡単な説明】
【００１４】
【図１】周知の冷陰極蛍光ランプの共同半田付け装置の構造図である。
【図２】周知の冷陰極蛍光ランプの共同半田付け装置の構造図である。
【図３】別の周知の冷陰極蛍光ランプの共同半田付け装置の構造図である。
【図４】本発明の構造図である。
【図５】本発明の装置の平面図である。
【図６】本発明の別の実施例図である。
【符号の説明】
【００１５】
（１０）冷陰極蛍光ランプ
（１００）芯棒
（１１）支持手段
（１１０）円孔
（２０）冷陰極蛍光ランプ
（２００）芯棒
（２１）支持手段
（２１０）切欠き
（３０）冷陰極蛍光ランプ
（３０ａ）冷陰極蛍光ランプ
（３００）芯棒
（３００ａ）芯棒
（３１）導電手段
（３１ａ）導電手段
（３１０）切欠き
（３１０ａ）切欠き
（３１１）凸点
【図１】
2005324243.tif 000003
【図２】
2005324243.tif 000004
【図３】
2005324243.tif 000005
【図４】
2005324243.tif 000006
【図５】
2005324243.tif 000007
【図６】
2005324243.tif 000008